(57)【特許請求の範囲】
【請求項１】
フィルム状シート（Ｓ）を切断するためのシート切断装置（１）であって、
外周に巻き付けられたフィルム状シート（Ｓ）に一定の送りを与えつつ回転するドラム（２）と、
ドラム（２）の周囲に配置され、シート（Ｓ）をガイドする固定ガイド部材（４，５）と、
シート（Ｓ）を切断するための刃（３１）と、刃（３１）の側方に配置されかつドラム外周面上のシート（Ｓ）に当接し得るように出没自在に設けられるとともにシート切断加工により切断されるシート切断予定個所の近傍および前回のシート切断加工により切断されたシート切断個所であるシート端部（Ｓ１）を保持し得る当接面を有する移動パッド部材（３４，３５）と、刃（３１）および移動パッド部材（３４，３５）の後端側に連結された移動可能な連結部材（３９）とを有する切断機構（３）と、
刃（３１）および移動パッド部材（３４，３５）が概略楕円運動の軌跡を描くように連結部材（３９）を駆動する駆動機構（６）とを備え、
シート（Ｓ）の切断加工時には、シート切断加工により切断されるシート切断予定個所の近傍および前回のシート切断加工により切断されたシート切断個所であるシート端部（Ｓ１）が移動パッド部材（３４，３５）によりドラム外周面との間で保持された状態で切断加工が行なわれるとともに、切断加工後には、シート端部（Ｓ１）が、回転するドラム（２）とともに移動する移動パッド部材（３４）により保持された状態で、固定ガイド部材（４）とドラム外周面との間の隙間に移動するようになっている、
ことを特徴とするシート切断装置。
【請求項２】
請求項１に記載のシート切断装置（１）において、
駆動機構（６）が、第１の回転軸（６１）と、これを駆動する駆動手段と、第１の回転軸（６１）に並設され、第１の回転軸（６１）に同期して回転する第２の回転軸（６２）と、第１，第２の回転軸（６１，６２）の先端に各回転軸の中心からそれぞれ偏心して設けられ同一位相で回転するとともに、連結部材（３９）を挿通しかつ連結部材（３９）にそれぞれ回転自在に支持された第１，第２の偏心軸（６５，６６）とから構成されている、
ことを特徴とするシート切断装置。
【請求項３】
フィルム状シート（Ｓ）を切断するためのシート切断方法であって、
外周に巻き付けられたフィルム状シート（Ｓ）に一定の送りを与えつつ回転するドラム（２）と、ドラム（２）の周囲に配置され、シート（Ｓ）をガイドする固定ガイド部材（４，５）と、シート（Ｓ）を切断するための刃（３１）を有し、刃（３１）の側方に配置されかつドラム外周面上のシート（Ｓ）に当接し得る出没自在な移動パッド部材（３４，３５）を有するとともに、刃（３１）および移動パッド部材（３４，３５）の後端側に連結された移動可能な連結部材（３９）を有する切断機構（３）と、刃（３１）および移動パッド部材（３４，３５）が概略楕円運動の軌跡を描くように連結部材（３９）を駆動する駆動機構（６）とを備えたシート切断装置（１）において、
シート（Ｓ）の切断加工時には、ドラム（２）を回転させてシート（Ｓ）に一定の送りを与えつつ、駆動機構（６）により連結部材（３９）を駆動して刃（３１）および移動パッド部材（３４，３５）に概略楕円運動の軌跡を描かせることにより、シート切断加工により切断されるシート切断予定個所の近傍および前回のシート切断加工により切断されたシート切断個所であるシート端部（Ｓ１）を移動パッド部材（３４，３５）によりドラム外周面との間で保持した状態で刃（３１）によりシート（Ｓ）の切断加工を行なうとともに、切断加工後には、シート端部（Ｓ１）を、回転するドラム（２）とともに移動する移動パッド部材（３４）により保持した状態で、固定ガイド部材（４）とドラム外周面との間の隙間に移動させるようにした、
ことを特徴とするシート切断方法。
【発明の詳細な説明】
【０００１】
【発明の属する技術分野】
本発明は、フィルム状シートを切断するためのシート切断装置に関する。
【０００２】
【従来の技術】
多数のストローやプラスチック製スプーンを個別にかつ連続してフィルム包装したフィルム状シートを個々のストローやスプーン毎に切断するためのシート切断装置として、図１７に示すようなものが従来より用いられている。このシート切断装置１００は、回転可能なドラム１０１と、ドラム１０１の外周に巻き付けられたシートＳ′を切断するための刃１０２をピストンロッド先端に有するエアシリンダ１０３とを備えている。
【０００３】
ドラム１０１の外周には、シートＳ′によりフィルム包装されたストロー１０４を保持するための複数の穴１０５と、隣り合う各穴１０５の間に配置されるとともに、刃１０２が挿入される複数のスリット１０６とが均等間隔で形成されている。また、ドラム１０１の外周の一部を囲繞するように、固定ガイド１０７，１０８が配置されている。
【０００４】
シートの切断加工時には、ドラム１０１のスリット１０６がエアシリンダ１０３と対向した状態から、エアシリンダ１０３を駆動してピストンロッドを突出させることにより、ピストンロッド先端の刃１０２をスリット１０６内に進入させる。これにより、シートＳ′の切断が行われる。シート切断後は、ピストンロッドを元の位置まで後退させるとともに、ドラム１０１を回転させて、次に切断加工が行われるべき個所のスリット１０６をエアシリンダ１０３に対向させ、この状態から、次のシート切断加工が行われる。
【０００５】
【発明が解決しようとする課題】
ところで、刃によって切断されたシートの端部は、一般に、ドラム外周面から離れて外方に浮き上がりやすい傾向にある。そこで、従来のシート切断装置においては、図１７に示すように、固定ガイド１０７，１０８をドラム外周面から所定の距離だけ離間させて配置することにより、切断後のシート端部と固定ガイドとの干渉を防止している。
【０００６】
しかしながら、この場合には、固定ガイドとドラム外周面との間に隙間が形成されることによって、シートＳ′の切断時にシートＳ′が不安定な状態となり、これにより、切断不良が発生する場合がある。
【０００７】
また、前記従来のシート切断装置においては、ドラム１０１を１ピッチずつ間欠回転させるとともに、ドラム１０１の停止時にシート切断加工を行うようにしている。
【０００８】
したがって、前記従来装置では、ドラム１０１の間欠送りのための機構が別途必要になり構造が複雑化するとともに、ドラム１０１が間欠的に停止することになるため、切断加工の処理速度が遅い。また、運転時に発生する振動や騒音が機械本体や回りの環境に悪影響を与えている。
【０００９】
本発明は、このような従来の問題点を解消すべくなされたもので、フィルム状シートの切断加工を正確に行うことができ、しかも、切断されたシート端部を固定ガイド部材側にスムーズに受け渡すことができるシート切断装置を提供することを目的とする。また、本発明の他の目的は、ドラムを連続運転させつつ切断加工を行え、さらに、構造を簡略化できるシート切断装置を提供することにある。
【００１０】
【課題を解決するための手段】
請求項１の発明に係るシート切断装置は、フィルム状シートを切断するためのシート切断装置であって、外周に巻き付けられたフィルム状シートに一定の送りを与えつつ回転するドラムと、前記ドラムの周囲に配置され、前記シートをガイドする固定ガイド部材とを備えている。また、このシート切断装置は、前記シートを切断するための刃を有し、前記刃の側方に配置されかつドラム外周面上の前記シートに当接し得るように出没自在に設けられるとともにシート切断加工により切断されるシート切断予定個所の近傍および前回のシート切断加工により切断されたシート切断個所である端部を保持し得る当接面を有する移動パッド部材を有し、前記刃および移動パッド部材の後端側に連結された移動可能な連結部材を有する切断機構と、前記刃および移動パッド部材が概略楕円運動の軌跡を描くように前記連結部材を駆動する駆動機構とを備えている。そして、前記シートの切断加工時には、シート切断加工により切断されるシート切断予定個所の近傍および前回のシート切断加工により切断されたシート切断個所であるシート端部が前記移動パッド部材によりドラム外周面との間で保持された状態で切断加工が行なわれるとともに、切断加工後には、シート端部が、回転する前記ドラムとともに移動する前記移動パッド部材により保持された状態で、前記固定ガイド部材とドラム外周面との間の隙間に移動するようになっている。
【００１１】
請求項２の発明に係るシート切断装置は、請求項１において、前記駆動機構が、第１の回転軸と、これを駆動する駆動手段と、前記第１の回転軸に並設され、前記第１の回転軸に同期して回転する第２の回転軸と、前記第１，第２の回転軸の先端に前記各回転軸の中心からそれぞれ偏心して設けられ同一位相で回転するとともに、前記連結部材を挿通しかつ前記連結部材にそれぞれ回転自在に支持された第１，第２の偏心軸とから構成されている。
【００１２】
請求項３の発明に係るシート切断方法は、外周に巻き付けられたフィルム状シートに一定の送りを与えつつ回転するドラムと、ドラムの周囲に配置され、シートをガイドする固定ガイド部材と、シートを切断するための刃を有し、刃の側方に配置されかつドラム外周面上のシートに当接し得る出没自在な移動パッド部材を有するとともに、刃および移動パッド部材の後端側に連結された移動可能な連結部材を有する切断機構と、刃および移動パッド部材が概略楕円運動の軌跡を描くように連結部材を駆動する駆動機構とを備えたシート切断装置において、シートの切断加工時には、ドラムを回転させてシートに一定の送りを与えつつ、駆動機構により連結部材を駆動して刃および移動パッド部材に概略楕円運動の軌跡を描かせることにより、シート切断加工により切断されるシート切断予定個所の近傍および前回のシート切断加工により切断されたシート切断個所であるシート端部を移動パッド部材によりドラム外周面との間で保持した状態で刃によりシートの切断加工を行なうとともに、切断加工後には、シート端部を、回転するドラムとともに移動する移動パッド部材により保持した状態で、固定ガイド部材とドラム外周面との間の隙間に移動させるようにしている。
【００１３】
請求項１の発明に係るシート切断装置によりフィルム状シートの切断加工を行う際には、まず、駆動機構により連結部材を駆動して該連結部材を移動させることにより、連結部材に連結された刃および移動パッド部材に概略楕円運動を行わせる。一方、ドラムは、その外周にシートが巻き付けられた状態で該シートに一定の送りを与えつつ回転している。
【００１４】
連結部材の移動により刃および移動パッド部材がドラムに接近すると、まず、移動パッド部材がドラム外周面上のシートの切断個所近傍に当接する。これにより、シート切断個所の近傍が移動パッド部材およびドラム外周面との間で保持される。
【００１５】
この状態から移動パッド部材がさらにドラム側に移動すると、移動パッド部材が没入し始め、これにより、刃がシート面に当接して、シートの切断加工が行われる。シート切断後は、連結部材がドラムから離れる側に移動し、これにより、刃および移動パッド部材がドラム外周面上のシートから離れる。
【００１６】
このように本発明によれば、シート切断加工の際には、シート切断個所の近傍が移動パッド部材により保持された状態で切断加工が行われるので、フィルム状シートの切断加工を正確に行えるようになる。
【００１７】
また、この場合には、前回のシート切断加工により切断されたシート端部が、回転するドラムとともに移動する移動パッド部材により固定ガイド部材側に受け渡されるようになっている。すなわち、移動パッド部材およびドラム間でシート端部が挟持された状態で、移動パッド部材がドラムとともに固定ガイド部材側に移動する。これにより、シート端部が移動パッド部材により押さえられた状態で固定ガイド部材側に移動するので、切断されたシート端部がドラム外周面から浮き上がることなく、シート端部を固定ガイド部材側にスムーズに受け渡すことができるようになる。
【００１８】
さらに、本発明によれば、刃および移動パッド部材が概略楕円運動の軌跡を描くことにより、シートの切断加工時に、刃および移動パッド部材が、回転するドラムとともに移動することになるので、シートの切断加工時に刃とシート面との間でずれが発生することなく、シートの切断加工をより正確に行えるようになる。また、これにより、ドラムを連続運転させつつシートの切断加工を行える。
【００１９】
次に、請求項２の発明に係るシート切断装置よりフィルム状シートの切断加工を行う際には、まず、駆動手段により、第１の回転軸を駆動して回転させる。この第１の回転軸の回転により、第２の回転軸が第１の回転軸に同期して回転する。すると、第１，第２の偏心軸が同一位相でそれぞれ第１，第２の回転軸の回りを旋回する。これにより、第１，第２の偏心軸を回転自在に支持する連結部材が、第１，第２の回転軸の各回転中心の回りを回転しつつ往復動を開始する。これにより、連結部材に連結された刃および移動パッド部材が概略楕円運動の軌跡を描いて、シートの切断加工が行われる。
【００２０】
この場合には、ドラムを連続運転させつつシートの切断加工を正確に行うことができかつシート端部を固定ガイド部材側にスムーズに受け渡すことができるシート切断装置を簡単な駆動機構により実現できる。
【００２１】
次に、請求項２の発明に係るシート切断装置の作動原理について、図１５および図１６を用いて説明する。なお、これらの図中において各参照符号はそれぞれ以下のものを表している。
Ｄ：ドラム，Ｓ：シート，Ｃ：刃，Ｎ：連結部材，Ｌ：楕円状軌跡，
Ｏ：ドラム中心，Ｒ１：第１の回転軸，Ｒ２：第２の回転軸，
Ｅ１：第１の偏心軸，Ｅ２：第２の偏心軸，ｅ１，ｅ２：偏心量，
Ａ：各回転軸間の距離，Ｂ：第２の回転軸とドラム中心との距離
【００２２】
図１５中に示すように、各偏心量ｅ１，ｅ２と各距離Ａ，Ｂとの間には
ｅ１／（Ａ＋Ｂ）＝ｅ２／Ｂ
の関係がある。各偏心軸Ｅ１，Ｅ２は上記関係を維持した状態で、各回転軸中心の回りを回転する。これにより、図１６中の軌跡Ｌに示すように、刃Ｃは楕円運動の軌跡を描くことになる。
【００２３】
【発明の実施の形態】
以下、本発明の実施態様を添付図面に基づいて説明する。
図１ないし図１４は本発明の一実施態様によるシート切断装置を説明するための図であって、図１はシート切断装置の平面概略構成図、図２はシート切断装置を構成する切断機構の先端部分の拡大図、図３は図１のIII-III 線断面図、図４ないし図１４はシート切断装置の作動を説明するための図である。
【００２４】
図１に示すように、シート切断装置１は、回転可能なドラム２と、ドラム２の外周に巻き付けられたフィルム状シートＳを切断するための刃３１を先端に有する切断機構３と、ドラム２の周囲に配置され、シートＳをガイドする固定ガイド部材４，５とを備えている。
【００２５】
ドラム２の外周には、シートＳによりフィルム包装されたストロー１０を保持するための複数の穴２１と、隣り合う各穴２１の間に配置されるとともに、刃３１が挿入される複数のスリット２２とが均等間隔で形成されている。
【００２６】
切断機構３は、図２に示すように、刃３１の両側方に配置されたスライド自在なスライダ３２，３３と、各スライダ３２，３３にねじ止め固定され、各スライダ３２，３３とともに刃３１の長手方向に移動し得る（図１一点鎖線参照）、例えば弾性部材から構成された移動パッド部材３４，３５と、刃３１をその両側方から保持する保持ブロック３６，３７と、各保持ブロック３６，３７がねじ止め固定されるホルダ３８と、ホルダ３８が固定された連結部材３９とから構成されている。
【００２７】
各保持ブロック３６，３７内には、ばね４０，４１が配設されている。各ばね４０，４１の後端は、ホルダ３８に形成された孔の底壁面に当接しており、また先端は、それぞれスライダ３２，３３の後端に当接している。これにより、ばね収縮時には、各ばね４０，４１の弾性反発力がそれぞれスライダ３２，３３を介して各移動パッド部材３４，３５に作用するようになっている。また、各ばね４０，４１の伸長時には、刃３１の先端は、各移動パッド部材３４，３５の先端面よりも内方に没入している（図２参照）。
【００２８】
図３に示すように、切断機構３の駆動機構６は、図示しない駆動モータからの回転力が伝達される第１の回転軸６１と、これに平行に並設され、第１の回転軸に同期して回転する第２の回転軸６２とを有している。
【００２９】
第１，第２の回転軸６１，６２は、それぞれブラケット６３，６４に回転自在に支持されている。第１，第２の回転軸６１，６２の先端には、それぞれ第１，第２の偏心軸６５，６６が設けられており、これら偏心軸６５，６６の各偏心量がそれぞれｅ1 ，ｅ2 で示されている。第１，第２の偏心軸６５，６６は連結部材３９を挿通している。
【００３０】
連結部材３９の第２の偏心軸挿通個所には、ブラケット６７が取り付けられており、第２の偏心軸６６は、ブラケット６７に回転自在に支持されている。また、連結部材３９の第１の偏心軸挿通個所には、連結部材３９の長手方向（図３左右方向）に延びる長孔６８が形成されており（図１参照）、該長孔６８内において第１の偏心軸６５の外周にはベアリング６９が取り付けられている。
【００３１】
この構成により、第１，第２の回転軸６１，６２が回転すると、第１，第２の偏心軸６５，６６がそれぞれ第１，第２の回転軸６１，６２の各中心の回りを回転してクランク運動をし、その結果、連結部材３９が往復運動をすることによって、先端の刃３１および移動パッド部材３４，３５が概略楕円運動の軌跡を描くようになっている。なお、第１の偏心軸６５を長孔６８内に配置したのは、第１，第２の偏心軸６５，６６のクランク運動時に生じる寸法上の誤差を該長孔６８により吸収するためである。
【００３２】
また、移動パッド部材３４，３５のドラム外周面への当接時には、各移動パッド部材３４，３５がドラム外周面に沿ってドラム２とともに移動するように、すなわち、各移動パッド部材３４，３５のドラム外周面方向の速度成分がドラム２の周速と実質的に一致するように、第１，第２の偏心軸６５，６６の各偏心量ｅ1 ，ｅ2 および第１の回転軸６１の駆動モータの回転速度が設定されている。
【００３３】
次に、シート切断装置１によるシート切断加工動作について、図４ないし図１４を用いて説明する。
これらの図のうち、図９および図１０を除く各図は、第１，第２の回転軸６１，６２の回転角度が図４に示す０°の状態から出発して、４５°ずつ回転角度を増加させた状態をそれぞれ示している。また、図９は回転角度が９０°に達する直前の状態での切断機構３の先端部分の概略拡大図、図１０は回転角度が９０°を超えた直後の状態での切断機構３の先端部分の概略拡大図である。
【００３４】
シートＳの切断加工の際には、まず、ドラム２を所定の速度で回転させることにより、フィルム状シートＳに一定の送りを与える。一方、図示しない連結機構を介して第１，第２の回転軸６１，６２が同期回転させられる。
【００３５】
第１，第２の回転軸６１，６２の同期回転により、第１，第２の偏心軸６５，６６がそれぞれ第１，第２の回転軸６１，６２の回りを回転してクランク運動を行う。すると、連結部材３９が揺動運動を行って、切断機構３全体がドラム２に対して接近・離反運動をする。
【００３６】
第１，第２の回転軸６１，６２の回転角度が０°の状態（図４）から４５°の状態（図５）を経て、図６に示す９０°の状態に達すると、切断機構３の先端に配置された移動パッド部材３４，３５がドラム外周面上のシートＳに当接する。
【００３７】
この状態からさらに第１，第２の回転軸６１，６２が回転して、切断機構３がドラム２側にさらに接近しようとすると、先端の各移動パッド部材３４，３５がばね４０，４１（図２）のばね力に抗して後退し、その結果、刃３１の先端が各移動パッド部材３４，３５から外方に露出する。これにより、刃３１の先端がシートＳに当接してシートＳ内に進入し（図７および図８参照）、その結果、シートＳの切断加工が行われる。
【００３８】
ここで、図７，図８は、第１，第２の回転軸６１，６２の回転角度が１３５°および１８０°の状態をそれぞれ示している。刃３１の先端は、第１，第２の回転軸６１，６２の回転角度が１３５°に達する直前にシートＳに当接している。また刃３１は、図８に示す状態においてドラム２のスリット２２内に最も深く進入している。
【００３９】
次に、第１，第２の回転軸６１，６２の回転角度が９０°の前後における移動パッド部材３４，３５の挙動を図９および図１０を用いてさらに詳細に説明する。
図９は、第１，第２の回転軸６１，６２の回転角度が９０°に達する直前の状態を示しているが、このとき、前回の切断加工により切断されたシートＳの端部Ｓ1 がドラム外周面から外方に浮き上がった状態にある。
【００４０】
この状態からさらに第１，第２の回転軸６１，６２が回転すると、移動パッド部材３４がシートＳの端部Ｓ1 に当接してこれをドラム外周面側に押し付ける（図６参照）。そして、第１，第２の回転軸６１，６２の回転角度が９０°を超えると、各移動パッド部材３４，３５が概略楕円運動を行うことにより、ドラム２の外周面に沿ってドラム２とともに移動する。
【００４１】
これにより、図１０に示すように、シート端部Ｓ1 は、固定ガイド部材４と干渉することなく、移動パッド部材３４とドラム２との間で挟持された状態で固定ガイド部材４とドラム外周面との間に移動する。すなわち、シート端部Ｓ1 は、移動パッド部材３４により固定ガイド部材４側に受け渡される。
【００４２】
次に、第１，第２の回転軸６１，６２の回転角度が１８０°を超えると、切断機構３がドラム２から離れる方向に移動し始める。そして、第１，第２の回転軸６１，６２の回転角度が２２５°の状態（図１１）を経て２７０°の状態（図１２）に達すると、移動パッド部材３４，３５がドラム外周面から離脱し始める。そして、回転角度が３１５°の状態（図１３）を経て３６０°の状態（図１４）すなわち初期状態（図４）に戻る。
【００４３】
このように本実施態様によれば、シート切断加工の際には、シート切断個所の近傍が移動パッド部材３４，３５によりドラム外周面との間で保持された状態で切断加工が行われるので、フィルム状シートＳの切断加工を正確に行えるようになる。
【００４４】
また、この場合には、切断されたシート端部Ｓ1 が、回転するドラム２とともに移動する移動パッド部材３４，３５により固定ガイド部材４側に受け渡されるようになっている。すなわち、移動パッド部材３４，３５およびドラム２間でシート端部Ｓ1 が挟持された状態で、移動パッド部材３４，３５がドラム２とともに固定ガイド部材４側に移動する。これにより、シート端部Ｓ1 が移動パッド部材３４，３５により押さえられた状態で固定ガイド部材側に移動するので、切断されたシート端部がドラム外周面から浮き上がることなく、シート端部を固定ガイド部材側にスムーズに受け渡すことができるようになる。
【００４５】
さらに、本実施態様によれば、刃３１および移動パッド部材３４，３５が概略楕円運動の軌跡を描くようにしたことにより、シートＳの切断加工時に、刃３１および移動パッド部材３４，３５が、回転するドラム２とともに移動することになるので、シートＳの切断加工時に刃３１とシート面との間でずれが発生することなく、シートＳの切断加工をより正確に行えるようになる。また、これにより、ドラム２を連続運転させつつシートの切断加工を行える。
【００４６】
また、上記構成を採用したことにより、シート端部を固定ガイド部材側にスムーズに受け渡すことができるシート切断装置を簡単な駆動機構により実現できる。
【００４７】
【発明の効果】
以上のように本発明に係るシート切断装置によれば、シート切断個所の近傍が移動パッド部材により保持された状態で切断加工を行うようにしたので、フィルム状シートの切断加工を正確に行えるようになる効果がある。また、切断されたシート端部を、ドラムとともに移動する移動パッド部材により固定ガイド部材側に受け渡すようにしたので、切断されたシート端部を固定ガイド部材側にスムーズに受け渡すことができる効果がある。
【００４８】
さらに、本発明によれば、刃および移動パッド部材が概略楕円運動の軌跡を描くようにしたので、シートの切断加工時に、刃とシート面との間でずれが発生することなく、切断加工をより正確に行えるようになる。また、これにより、ドラムを連続運転させつつシートの切断加工を行える。
【図面の簡単な説明】
【図１】本発明の一実施態様によるシート切断装置の平面概略構成図。
【図２】シート切断装置を構成する切断機構の先端部分の拡大図。
【図３】図１のIII-III 線断面図。
【図４】シート切断装置の作動を説明するための模式図。
【図５】シート切断装置の作動を説明するための模式図。
【図６】シート切断装置の作動を説明するための模式図。
【図７】シート切断装置の作動を説明するための模式図。
【図８】シート切断装置の作動を説明するための模式図。
【図９】シート切断装置の作動を説明するための図であって、切断機構の先端部分の拡大図。
【図１０】シート切断装置の作動を説明するための図であって、切断機構の先端部分の拡大図。
【図１１】シート切断装置の作動を説明するための模式図。
【図１２】シート切断装置の作動を説明するための模式図。
【図１３】シート切断装置の作動を説明するための模式図。
【図１４】シート切断装置の作動を説明するための模式図。
【図１５】シート切断装置の作動原理を説明するための模式図。
【図１６】シート切断装置の作動原理を説明するための模式図。
【図１７】従来のシート切断装置の平面概略構成図。
【符号の説明】
１      シート切断装置
２      ドラム
２１    孔
２２    スリット
３          切断機構
３１        刃
３４，３５  移動パッド部材
３９        連結部材
４，５  固定ガイド部材
６      駆動機構
６１    第１の回転軸
６２    第２の回転軸
６５    第１の偏心軸
６６    第２の偏心軸
Ｓ      フィルム状シート
Ｓ1     シート端部
ｅ1 ，ｅ2   偏心量
【図１】
0004334664.tif 000002
【図２】
0004334664.tif 000003
【図３】
0004334664.tif 000004
【図４】
0004334664.tif 000005
【図５】
0004334664.tif 000006
【図６】
0004334664.tif 000007
【図７】
0004334664.tif 000008
【図８】
0004334664.tif 000009
【図９】
0004334664.tif 000010
【図１０】
0004334664.tif 000011
【図１１】
0004334664.tif 000012
【図１２】
0004334664.tif 000013
【図１３】
0004334664.tif 000014
【図１４】
0004334664.tif 000015
【図１５】
0004334664.tif 000016
【図１６】
0004334664.tif 000017
【図１７】
0004334664.tif 000018